(57)【要約】【課題】組付時の作業性が良く、使用状態で傷が付いても交換容易で、製造コストが嵩むことがない、断熱・緩衝機能を有する面材を備えた簡易建築物を提供する。【解決手段】天井用断熱材及び壁用断熱材の少なくとも一方の断熱材が可撓性を有する発泡プラスチックからなる矩形状パネル２，３であり、前記パネルを並設して室内側に露出させて面材Ｇにすると共に、パネル２，３の長辺が挿入される掛止溝を有する、パネル２，３を所定位置に保持する保持部材４，５を備えた。パネル２，３を、ポリオレフィン系樹脂からなるビーズ法型内成形により得られた成形体としたので、ロックウールボード等と同等の断熱性を確保しながら、ポリスチレン系発泡体等の他の発泡プラスチックからなるパネルと比較して、特に耐熱性に優れ、耐油性及び耐薬品性も有しているため、様々な物品を収納する防災倉庫等としての使用に好適である。【選択図】図２
2014214559.tif 000002
【特許請求の範囲】
【請求項１】
天井及び壁に断熱材を備えた簡易建築物において、
前記天井に備える断熱材及び前記壁に備える断熱材の少なくともどちらかの断熱材が可撓性を有する発泡プラスチックからなる矩形状パネルであり、前記パネルを並設して室内側に露出させることにより面材にするとともに、前記矩形状パネルの長辺が挿入される掛止溝を有する、前記矩形状パネルを所定位置に保持するためのパネル保持部材を備えたことを特徴とする、天井及び壁の少なくともどちらかに断熱・緩衝機能を有する面材を備えた簡易建築物。
【請求項２】
前記矩形状パネルが、ポリオレフィン系樹脂からなるビーズ法型内成形により得られた成形体である請求項１記載の天井及び壁の少なくともどちらかに断熱・緩衝機能を有する面材を備えた簡易建築物。
【請求項３】
前記矩形状パネルの室内側表面に、前記型内成形を行う際にシボ加工を施してなる請求項２記載の天井及び壁の少なくともどちらかに断熱・緩衝機能を有する面材を備えた簡易建築物。
【請求項４】
天井及び壁に断熱材を備えた簡易建築物における前記天井に備える断熱材及び前記壁に備える断熱材の少なくともどちらかの断熱材の取付方法において、
天井及び壁の少なくともどちらかの所定位置に配設された、掛止溝を有するパネル保持部材に対し、可撓性を有する発泡プラスチックからなる矩形状パネルである断熱・緩衝材を湾曲させて弾性変形させながら、前記断熱・緩衝材の長辺を前記掛止溝に挿入することにより、前記断熱・緩衝材が面材として室内側に露出した状態で取り付けられることを特徴とする、天井及び壁の少なくともどちらかに断熱・緩衝機能を有する面材を備えた簡易建築物における前記面材の取付方法。
【請求項５】
天井及び壁に断熱材を備えた簡易建築物における前記天井に備える断熱材及び前記壁に備える断熱材の少なくともどちらかの断熱材の取付方法において、
掛止溝を有するパネル保持部材を天井及び壁の少なくともどちらかの所定位置に順次取り付けるとともに、取り付けられた前記パネル保持部材の掛止溝に、可撓性を有する発泡プラスチックからなる矩形状パネルである断熱・緩衝材の長辺を順次挿入しながら、前記断熱・緩衝材が面材として室内側に露出した状態で取り付けられることを特徴とする、天井及び壁の少なくともどちらかに断熱・緩衝機能を有する面材を備えた簡易建築物における前記面材の取付方法。
【発明の詳細な説明】
【技術分野】
【０００１】
本発明は、物置、防災倉庫又は仮設住宅等の断熱機能を有する簡易建築物に関する。
【背景技術】
【０００２】
屋外に設置され、各種の物品が収納される物置は、板金プレス加工により成形された、床パネル（床板、底板）、屋根パネル（屋根板、天井板）、壁パネル（左右の側壁、側板、及び、後側の側壁、背面板）等の空間を仕切るパネル材、並びに前面開口を開閉する扉等の開閉手段、並びに、前記パネル材及び前記扉を支持する、桁材や柱材等からなるフレーム材により形成され（例えば、特許文献１の図６及び図７並びに特許文献２の図１及び図２参照。）、屋外の収納庫としてコストパフォーマンスが高いため、広く用いられている。
このような簡易建築物である物置は、防錆塗装が施された鋼板製であることから、屋外に設置して風雨等に晒されても、長期間にわたって高い防錆性能を維持できる。
しかしながら、物置は、通常、断熱性能は低く、内部の温度変動が大きくなることから、特に夏場において内部温度が非常に高くなるため、非常食や飲料水等を備蓄する防災倉庫（防災用品保管庫）とすることは難しい。
このようなことから、防災倉庫等の断熱機能を有する簡易建築物として物置を用いる場合には、例えば、天井材及び壁材となる前記パネル材の内側に、ロックウールボードや断熱ウレタンボード等の断熱材の室内面に化粧紙を貼付したものを配設して面材（内装材）としている。
【先行技術文献】
【特許文献】
【０００３】
【特許文献１】実開平６−２０７８６号公報
【特許文献２】特許第３８６３６０９号公報
【発明の概要】
【発明が解決しようとする課題】
【０００４】
以上のような従来の断熱機能を有する簡易建築物の構成では、ロックウールボード等からなる面材が、可撓性がなく比較的重いことから、例えば天井パネル材の内側に取り付ける際に、一人が前記面材を持ち上げた状態で、他の一人が前記面材を野縁に取り付ける作業を行う必要がある等、組み付け時における作業性が悪いという問題点がある。
その上、前記面材が、可撓性がないことから、組み付け時又は使用時にぶつかった際に傷が付きやすいとともに、使用状態で傷が付いた際に交換しにくいという問題点もある。
その上さらに、室内面に化粧紙を貼付したロックウールボード等の面材の製造コストが嵩むという問題点もある。
【０００５】
そこで本発明が前述の状況に鑑み、解決しようとするところは、組み付け時における作業性が良く、傷が付きにくく、使用状態で傷が付いても交換しやすく、製造コストが嵩むことがない、天井及び壁の少なくともどちらかに断熱・緩衝機能を有する面材を備えた簡易建築物、並びに前記簡易建築物における前記面材の取付方法を提供する点にある。
【課題を解決するための手段】
【０００６】
本発明に係る天井及び壁の少なくともどちらかに断熱・緩衝機能を有する面材を備えた簡易建築物は、前記課題解決のために、天井及び壁に断熱材を備えた簡易建築物において、前記天井に備える断熱材及び前記壁に備える断熱材の少なくともどちらかの断熱材が可撓性を有する発泡プラスチックからなる矩形状パネルであり、前記パネルを並設して室内側に露出させることにより面材にするとともに、前記矩形状パネルの長辺が挿入される掛止溝を有する、前記矩形状パネルを所定位置に保持するためのパネル保持部材を備えたことを特徴とする。
【０００７】
このような構成の前記簡易建築物によれば、可撓性を有する発泡プラスチックからなる矩形状パネルを面材としているので、前記面材は可撓性があるとともに比較的軽量であることから、その長辺をパネル保持部材の掛止溝に入れて取り付ける作業の作業性が良いため、一人で取付作業を行うこともできる。したがって、ロックウールボード等からなる可撓性がなく比較的重い面材を二人作業で取り付ける従来の組立作業と比較して、組立コストを低減できる。
その上、前記面材が、可撓性があることから耐衝撃性に優れるため、組み付け時又は使用時にぶつかった際に傷が付きにくく、可撓性があるため、使用状態で傷が付いた際には必要に応じて容易に交換できる。
その上さらに、前記面材は可撓性があるとともに比較的軽量であるため、輸送する際に梱包材を軽減できるとともに荷造り作業が容易になり、工場、トラック、コンテナ又は倉庫等における荷役作業も容易になる。
【０００８】
ここで、前記矩形状パネルが、ポリオレフィン系樹脂からなるビーズ法型内成形により得られた成形体であると好ましい。
このような構成によれば、断熱・緩衝機能を有する面材である可撓性を有する発泡プラスチックからなる矩形状パネルが、ポリオレフィン系樹脂からなるビーズ法型内成形により得られた成形体であるので、ロックウールボード等と同等の断熱性を確保しながら、ポリスチレン系発泡体等の他の発泡プラスチックからなる矩形状パネルと比較して、特に耐熱性に優れ、耐油性及び耐薬品性も有していることから、様々な物品を収納する防災倉庫等としての使用に好適なものとなる。
【０００９】
また、前記矩形状パネル（ポリオレフィン系樹脂からなるビーズ法型内成形により得られた成形体）の室内側表面に、前記型内成形を行う際にシボ加工を施してなると好ましい。
このような構成によれば、面材の表面にシボ加工が施されているので、表面が傷付きにくくなり、表面の傷や汚れが目立たなくなるとともに、シボ加工による装飾効果により内装のデザイン性が向上する。
その上、このような付加価値を高めるシボ加工を、熱プレスで行う必要があるＥＶＡ発泡体等の他の発泡プラスチックからなる矩形状パネルと比較して、ビーズ法型内成形用金型の内面に所要の模様を形成しておくことで転写加工により行えることから、生産性が高いため製造コストの上昇を抑制できる。
【００１０】
本発明に係る天井及び壁の少なくともどちらかに断熱・緩衝機能を有する面材を備えた簡易建築物における前記面材の取付方法は、前記課題解決のために、天井及び壁に断熱材を備えた簡易建築物における前記天井に備える断熱材及び前記壁に備える断熱材の少なくともどちらかの断熱材の取付方法において、天井及び壁の少なくともどちらかの所定位置に配設された、掛止溝を有するパネル保持部材に対し、可撓性を有する発泡プラスチックからなる矩形状パネルである断熱・緩衝材を湾曲させて弾性変形させながら、前記断熱・緩衝材の長辺を前記掛止溝に挿入することにより、前記断熱・緩衝材が面材として室内側に露出した状態で取り付けられることを特徴とする。
このような前記簡易建築物における前記面材の取付方法によれば、掛止溝を有するパネル保持部材に対し、前記断熱・緩衝材を湾曲させて弾性変形させながら、前記断熱・緩衝材の長辺を前記掛止溝に挿入することにより、前記断熱・緩衝材が取り付けられて面材となるので、前記断熱・緩衝材が可撓性を有する発泡プラスチックからなる矩形状パネルであるため比較的軽量であることとも相俟って、取付作業性が良いため、一人で取付作業を行うこともできる。したがって、ロックウールボード等からなる可撓性がなく比較的重い面材を二人作業で取り付ける従来の組立作業と比較して、組立コストを低減できる。
【００１１】
また、本発明に係る天井及び壁の少なくともどちらかに断熱・緩衝機能を有する面材を備えた簡易建築物における前記面材の取付方法は、前記課題解決のために、天井及び壁に断熱材を備えた簡易建築物における前記天井に備える断熱材及び前記壁に備える断熱材の少なくともどちらかの断熱材の取付方法において、掛止溝を有するパネル保持部材を天井及び壁の少なくともどちらかの所定位置に順次取り付けるとともに、取り付けられた前記パネル保持部材の掛止溝に、可撓性を有する発泡プラスチックからなる矩形状パネルである断熱・緩衝材の長辺を順次挿入しながら、前記断熱・緩衝材が面材として室内側に露出した状態で取り付けられることを特徴とする。
このような前記簡易建築物における前記面材の取付方法によれば、掛止溝を有するパネル保持部材を天井及び壁の少なくともどちらかの所定位置に順次取り付けるとともに、取り付けられた前記パネル保持部材の掛止溝に、可撓性を有する発泡プラスチックからなる矩形状パネルである断熱・緩衝材の長辺を順次挿入しながら、前記断熱・緩衝材が取り付けられて面材となるので、前記断熱・緩衝材が可撓性を有する発泡プラスチックからなる矩形状パネルであるため比較的軽量であることとも相俟って、取付作業性が良いため、一人で取付作業を行うこともできる。したがって、ロックウールボード等からなる可撓性がなく比較的重い面材を二人作業で取り付ける従来の組立作業と比較して、組立コストを低減できる。
【発明の効果】
【００１２】
以上のように、本発明に係る天井及び壁の少なくともどちらかに断熱・緩衝機能を有する面材を備えた簡易建築物、並びに前記簡易建築物における前記面材の取付方法によれば、（ア）面材（可撓性を有する発泡プラスチックからなる矩形状パネル）は可撓性があるとともに比較的軽量であることから、その長辺をパネル保持部材の掛止溝に入れて取り付ける作業の作業性が良いため、組立コストを低減できること、
（イ）面材は、可撓性があることから耐衝撃性に優れるため、組み付け時又は使用時にぶつかった際に傷が付きにくく、可撓性があるため、使用状態で傷が付いた際に容易に交換できること、
（ウ）面材は可撓性があるとともに比較的軽量であるため、輸送する際に梱包材を軽減できるとともに荷造り作業が容易になり、工場、トラック、コンテナ又は倉庫等における荷役作業も容易になること、
（エ）前記矩形状パネルがポリオレフィン系樹脂からなるビーズ法型内成形により得られた成形体であるものでは、ロックウールボード等と同等の断熱性を確保しながら、特に耐熱性に優れ、耐油性及び耐薬品性も有していることから、様々な物品を収納する防災倉庫等としての使用に好適なものとなること、
（オ）前記矩形状パネルの室内側表面に前記型内成形を行う際にシボ加工を施してなるものでは、表面が傷付きにくくなり、表面の傷や汚れが目立たなくなり、シボ加工による装飾効果により内装のデザイン性が向上するとともに、このような付加価値を高めるシボ加工を、ビーズ法型内成形用金型の内面に所要の模様を形成しておくことにより転写加工により行えることから、生産性が高いため製造コストの上昇を抑制できること、
等の顕著な効果を奏する。
【図面の簡単な説明】
【００１３】
【図１】本発明の実施の形態に係る天井及び壁の少なくともどちらかに断熱・緩衝機能を有する面材を備えた簡易建築物の外観図である。
【図２】天井用の面材を取り付けている状態を示す概略図である。
【図３】天井用の面材である可撓性を有する発泡プラスチックからなる矩形状パネル及びパネル保持部材を示す縦断面図である。
【図４】（ａ）は天井用の面材を裏面側から見た斜視図、（ｂ）及び（ｃ）は図３の要部拡大縦断面図である。
【図５】天井用の面材の取付方法の例を示す縦断面図である。
【図６】壁用の面材を取り付けている状態を示す概略図である。
【図７】壁用の面材である可撓性を有する発泡プラスチックからなる矩形状パネル及びパネル保持部材を示す横断面図である。
【図８】（ａ）は壁用の面材を裏面側から見た斜視図、（ｂ）及び（ｃ）は図７の要部拡大横断面図である。
【図９】壁用の面材の取付方法の例を示す横断面図である。
【図１０】壁用の面材の表面に形成されたシボの例を示す斜視図である。
【発明を実施するための形態】
【００１４】
次に本発明の実施の形態を添付図面に基づき詳細に説明するが、本発明は、添付図面に示された形態に限定されず特許請求の範囲に記載の要件を満たす実施形態の全てを含むものである。
【００１５】
図１の外観図及び図２の概略図に示すように、断熱機能を有する簡易建築物であり、本発明の実施の形態に係る天井及び壁の少なくともどちらかに断熱・緩衝機能を有する面材を備えた簡易建築物の一例である物置１は、水平に設置したコンクリートブロックＣＢ，ＣＢ，…上に載置され、図示しない床パネル、屋根パネルＥ及び壁パネルＦ、並びに、前面開口を開閉する開閉手段である開き戸Ｄ等を備える。
ここで、床パネルは、土台Ａ及び根太に取り付けられ、屋根パネルＥは、土台Ａの４隅に立設される柱Ｂ，Ｂ，…の上端部に架設される横架部材Ｃ，Ｃ，…及び対向する横架部材Ｃ，Ｃ間に架設される桁材に取り付けられ、壁パネルＦは、柱Ｂ，Ｂ，…等に取り付けられる。
また、床パネル、屋根パネルＥ及び壁パネルＦは、板金プレス加工により成形され、少なくとも外装材である屋根パネルＥ及び壁パネルＦには防錆塗装を施している。
さらに、前記開閉手段として開き戸（ドア）Ｄを採用しているため、気密性が高くなり、物置内部への埃等の侵入を軽減できる。
なお、前記開閉手段は、開き戸（ドア）Ｄではなく引き戸（扉）としてもよく、引き戸とした場合は、開口部が広くなるため収納物の出し入れが容易になる。
【００１６】
物置１は、断熱機能を付与するために、屋根パネルＥの内側及び壁パネルＦの内側に、図２の概略図に示すように、可撓性を有する発泡プラスチックからなる、天井用矩形状パネル２，２，…及び壁用矩形状パネル３，３，…が取り付けられ、断熱・緩衝機能を有する面材Ｇとなる。
天井用矩形状パネル２，２，…及び壁用矩形状パネル３，３，…は、例えば、ポリオレフィン系樹脂からなるビーズ法型内成形により得られた成形体である。
【００１７】
ここで、ポリオレフィン系樹脂とは、プロピレン、エチレン、ペンテン、へプテン、オクテンなどの炭素数２〜８のα−オレフィンモノマーやノルボルネン系などの環状オレフィンモノマーを単独または２種以上を重合した樹脂かこれを主成分として含有する樹脂を指すが、ポリオレフィン系樹脂発泡体を得る場合には、すでに汎用化した樹脂から製造されたものが経済的であり、ポリプロピレン系樹脂、ポリエチレン系樹脂などの予備発泡粒子による発泡体が好適に使用できる。
また、ビーズ法型内成形とは、予備発泡粒子（発泡ビーズ）を所望の形状を有した金型内に充填し、蒸気で加熱し、２次発泡させて粒子間の空隙を埋め、粒子を相互に融着させた後、冷却して成形する方法のことである。ここで言う原料となる予備発泡粒子は、例えば、ポリオレフィン系樹脂の場合は市販レジンを押出機のスクリュウで加熱混練しながら糸状に押出し、これを所望のサイズにカットして原料ペレットを得、次に、密閉耐圧容器内で水系媒体に分散剤により分散させ、発泡剤を加え、ペレットの軟化温度以上の発泡温度にまで加熱し、前記密閉耐圧容器の内圧よりも低圧の雰囲気下に放出して得ることができる。
【００１８】
可撓性を有する発泡プラスチックとしては、発泡ポリプロピレン又は発泡ポリエチレン等の発泡ポリオレフィン系樹脂に限定されるものではなく、ＥＶＡ発泡体やＰＳ/ＰＥ共重合体等であってもよい。
ただし、発泡ポリプロピレン又は発泡ポリエチレン等の発泡ポリオレフィン系樹脂を用いて天井用矩形状パネル２，２，…及び壁用矩形状パネル３，３，…（面材Ｇ）とすることにより、ロックウールボード等と同等の断熱性を確保しながら、ＥＶＡ発泡体やポリスチレン系発泡体等の他の発泡プラスチックからなる矩形状パネルと比較して、特に耐熱性に優れ、耐油性及び耐薬品性も有していることから、様々な物品を収納する防災倉庫等としての使用に好適なものとなる。
【００１９】
次に、天井用矩形状パネル２及び天井パネル保持部材４の構成例、並びに天井用矩形状パネル２の取付方法の例について説明する。
図２の概略図、図３の縦断面図及び図４（ｂ）の要部拡大縦断面図に示すように、天井用矩形状パネル２，２，…は、天井の所定位置に配設された天井パネル保持部材４，４，…により、天井パネル保持部材４，４の水平方向に延びる掛止溝４Ａ，４Ａに天井用矩形状パネル２の長辺２Ｃ，２Ｃを挿入した状態で保持される。
図４（ａ）の斜視図に示すように、天井用矩形状パネル２の外面（上面）２Ａには凹部６，６，…が形成されているので、結露が発生したとしても、その水分を受け止めることができる。
また、天井用矩形状パネル２の内面（下面）２Ｂには、ビーズ法型内成形を行う際にシボ加工が施されているので（図１０のシボＨ参照。）、表面が傷付きにくくなり、表面の傷や汚れが目立たなくなるとともに、シボ加工による装飾効果により内装のデザイン性が向上する。
また、このような付加価値を高めるシボ加工を、熱プレスで行う必要があるＥＶＡ発泡体等の他の発泡プラスチックからなる矩形状パネルと比較して、ビーズ法型内成形用金型の内面に所要の模様を形成しておくことで転写加工により行えることから、生産性が高いため製造コストの上昇を抑制できる。
【００２０】
天井用矩形状パネル２は、可撓性を有する発泡プラスチック製であるので、図５（ａ）の縦断面図に示すように、天井用矩形状パネル２の一方の長辺２Ｃを天井パネル保持部材４の水平方向に延びる掛止溝４Ａに挿入した状態で、天井用矩形状パネル２を水平軸まわりに湾曲させて弾性変形させることにより、他方の長辺２Ｃを天井パネル保持部材４の水平方向に延びる掛止溝４Ａに挿入することができるので、天井用矩形状パネル２を天井パネル保持部材４，４に容易に取り付けることができる。
また、図５（ｂ）の縦断面図に示すように、天井用矩形状パネル２を水平軸まわりに湾曲させて弾性変形させながら、天井用矩形状パネル２の両方の長辺２Ｃ，２Ｃを天井パネル保持部材４，４の掛止溝４Ａ，４Ａに挿入してもよく、図５（ａ）及び（ｂ）のような上方に凸となるような湾曲ではなく、下方に凸となるように湾曲させてもよい。
さらに、天井用矩形状パネル２を湾曲させずに、天井パネル保持部材４を天井の所定位置に順次取り付けるとともに、取り付けられた天井パネル保持部材４の掛止溝４Ａに、天井用矩形状パネル２の長辺２Ｃを順次挿入しながら、天井用矩形状パネル２を天井パネル保持部材４，４に取り付けるようにしてもよい。
【００２１】
次に、壁用矩形状パネル３及び壁パネル保持部材５の構成例、並びに壁用矩形状パネル２の取付方法の例について説明する。
図６の概略図、図７の横断面図及び図８（ｂ）の要部拡大横断面図に示すように、壁用矩形状パネル３，３，…は、壁の所定位置に配設された壁パネル保持部材５，５，…により、壁パネル保持部材５，５の上下方向に延びる掛止溝５Ａ，５Ａに壁用矩形状パネル３の長辺３Ｃ，３Ｃを挿入した状態で保持される。
図８（ａ）の斜視図に示すように、壁用矩形状パネル３の外面３Ａには長手方向（上下方向）に延びる突条７，７，…が形成され、突条７，７間には凹部８，８，…が形成されているので、壁用矩形状パネル３に収納物や人がぶつかったとしても、壁用矩形状パネル３が可撓性を有する発泡プラスチックであることとも相俟って、衝撃が緩和されるため、外装材である壁パネルＦの変形を防止することができる。
また、壁用矩形状パネル３の内面３Ｂには、ビーズ法型内成形を行う際にシボ加工が施されているので（図１０のシボＨ参照。）、表面が傷付きにくくなり、表面の傷や汚れが目立たなくなるとともに、シボ加工による装飾効果により内装のデザイン性が向上する。
また、このような付加価値を高めるシボ加工を、熱プレスで行う必要があるＥＶＡ発泡体等の他の発泡プラスチックからなる矩形状パネルと比較して、ビーズ法型内成形用金型の内面に所要の模様を形成しておくことで転写加工により行えることから、生産性が高いため製造コストの上昇を抑制できる。
【００２２】
壁用矩形状パネル３は、可撓性を有する発泡プラスチック製であるので、図９（ａ）の横断面図に示すように、壁用矩形状パネル３の一方の長辺３Ｃを壁パネル保持部材５の上下方向に延びる掛止溝５Ａに挿入した状態で、壁用矩形状パネル３を垂直軸まわりに湾曲させて弾性変形させることにより、他方の長辺３Ｃを壁パネル保持部材５の上下方向に延びる掛止溝５Ａに挿入することができるので、壁用矩形状パネル３を壁パネル保持部材５，５に容易に取り付けることができる。
また、図５（ｂ）の縦断面図に示すように、壁用矩形状パネル３を垂直軸まわりに湾曲させて弾性変形させながら、壁用矩形状パネル３の両方の長辺３Ｃ，３Ｃを壁パネル保持部材５，５の掛止溝５Ａ，５Ａに挿入してもよく、外装材である壁パネルＦよりも先に取り付けてもよいため、壁用矩形状パネル３を垂直軸まわりに湾曲させる方向も限定されない。
さらに、壁用矩形状パネル３を湾曲させずに、壁パネル保持部材５を壁の所定位置に順次取り付けるとともに、取り付けられた壁パネル保持部材５の掛止溝５Ａに、壁用矩形状パネル３の長辺３Ｃを順次挿入しながら、壁用矩形状パネル３を壁パネル保持部材５，５に取り付けるようにしてもよい。
【００２３】
以上の実施の形態においては、天井及び壁の両方に断熱・緩衝機能を有する面材Ｇ（可撓性を有する発泡プラスチックからなる、天井用矩形状パネル２，２，…及び壁用矩形状パネル３，３，…）を備えた物置１（簡易建築物）を示したが、断熱・緩衝機能を有する面材Ｇを天井及び壁の一方のみに使用し、他方はロックウールボードや断熱ウレタンボード等の断熱材の室内面に化粧紙を貼付した従来のものを備えるようにしてもよい。
以上のような物置１は、特殊な技術や工具を必要としないので簡単に組立可能であり、構成部品を設置場所まで輸送して現地で容易に組み立てることができるので、ユニック車等の特別な輸送手段を必要としないとともに、狭い場所や車等の運搬手段がない所でも人力で運ぶことができる。
その上、構成部品がコンパクトなので、在庫をする際や輸送の際に省スペース化を図ることができるとともに、必要時に容易に組立てて使用することができ、不要時には容易に解体できとともに、移設することも容易である。
また、断熱機能を有する簡易建築物の一例として物置を示したが、本発明は、工事現場等のプレハブ小屋及び住宅、並びに仮設住宅等に対しても適用可能なものである。
【００２４】
以上のような構成の本発明の実施の形態に係る簡易建築物（物置１）によれば、可撓性を有する発泡プラスチックからなる矩形状パネル２，３を面材Ｇとしているので、面材Ｇは可撓性があるとともに比較的軽量であることから、その長辺２Ｃ，３Ｃをパネル保持部材４，５の掛止溝４Ａ，５Ａに入れて取り付ける作業の作業性が良いため、一人で取付作業を行うこともできる。したがって、ロックウールボード等からなる可撓性がなく比較的重い面材を二人作業で取り付ける従来の組立作業と比較して、組立コストを低減できる。
また、面材Ｇが、可撓性があることから耐衝撃性に優れるため、組み付け時又は使用時にぶつかった際に傷が付きにくく、可撓性があるため、使用状態で傷が付いた際には必要に応じて容易に交換できる。
さらに、面材Ｇは可撓性があるとともに比較的軽量であるため、輸送する際に梱包材を軽減できるとともに荷造り作業が容易になり、工場、トラック、コンテナ又は倉庫等における荷役作業も容易になる。
【符号の説明】
【００２５】
Ａ  土台
Ｂ  柱
Ｃ  横架部材
ＣＢ  コンクリートブロック
Ｄ  ドア
Ｅ  屋根パネル
Ｆ  壁パネル
Ｇ  断熱・緩衝機能を有する面材
Ｈ  シボ
１  物置（簡易建築物）
２  天井用矩形状パネル（可撓性を有する発泡プラスチックからなる矩形状パネル）
３  壁用矩形状パネル（可撓性を有する発泡プラスチックからなる矩形状パネル）
２Ａ，３Ａ  外面
２Ｂ，３Ｂ  内面
２Ｃ，３Ｃ  長辺
４  天井パネル保持部材
４Ａ  掛止溝
５  壁パネル保持部材
５Ａ  掛止溝
６  凹部
７  突条
８  凹部
【図１】
2014214559.tif 000003
【図２】
2014214559.tif 000004
【図３】
2014214559.tif 000005
【図４】
2014214559.tif 000006
【図５】
2014214559.tif 000007
【図６】
2014214559.tif 000008
【図７】
2014214559.tif 000009
【図８】
2014214559.tif 000010
【図９】
2014214559.tif 000011
【図１０】
2014214559.tif 000012